(57)【特許請求の範囲】
【請求項１】
電気リード線用の保持収容部を有するハウジングと、前記電気リード線に接触するコンタクトとを具備する、電気リード線を印刷回路基板に接触させる端子ユニットにおいて、
前記コンタクトはコンタクト部材に保持され、
該コンタクト部材は前記ハウジングに移動可能に保持され、
前記コンタクト部材は開位置から接触位置に移動可能であり、
前記コンタクトは前記電気リード線に電気的に接触し、
前記コンタクト部材は前記印刷回路基板を受容する受容室を有し、
前記コンタクトのＵ形状コンタクト片が、前記印刷回路基板の導体と電気的に接触するために前記受容室内に配置されることを特徴とする端子ユニット。
【請求項２】
前記コンタクト部材は、ヒンジピンの回りを旋回することができるよう保持され、
前記コンタクト部材の前記コンタクトは、該コンタクトの接触領域が前記電気リード線と接触するために前記保持収容部に形成されたコンタクト開口に係止することを特徴とする請求項１記載の端子ユニット。
【請求項３】
前記コンタクト部材は、前記接触位置で前記保持収容部を超えて延びており、
前記コンタクト部材は横方向に配置された２個のブラケットを有し、
該ブラケットは、前記コンタクト部材の前記接触位置で保持プレートの２個の開口に係止し、
前記２個のブラケットは、前記電気リード線を保持又は固定するよう設けられていることを特徴とする請求項１又は２記載の端子ユニット。
【請求項４】
前記コンタクト部材は、該コンタクト部材を旋回させるために設けられた駆動面を頂上に有することを特徴とする請求項１ないし３のうちいずれか１項記載の端子ユニット。
【請求項５】
前記２個のコンタクトは前記コンタクト部材内に配置され、
前記２個のコンタクトは、関連する前記電気リード線と電気的に接触する接触領域を有し、
該接触領域は、前記電気リード線の縦方向に沿って互いにオフセットされて配置されていることを特徴とする請求項１ないし４のうちいずれか１項記載の端子ユニット。
【請求項６】
複数の前記コンタクト部材が前記ハウジング内に横並びしており、
前記コンタクト部材間に、電磁放射を遮蔽する材料製の区画壁が配置されていることを特徴とする請求項１ないし５のうちいずれか１項記載の端子ユニット。
【請求項７】
前記保持収容部は、前記電気リード線が挿入されるための前開口と、前記コンタクトの接触領域を案内するためのコンタクト開口とを有し、
前記保持収容部は、前記コンタクト部材に割り当てられた少なくとも上面が透明材料製であることを特徴とする請求項１ないし６のうちいずれか１項記載の端子ユニット。
【請求項８】
前記受容室は、前記コンタクト部材の２個の着座面により形成され、
前記コンタクト部材の圧接接続デバイスとは反対側の端に位置する端部片は、前記受容室の前記２個の着座面のうちの第１着座面の下に係合し、
前記コンタクト部材内に、前記受容室に隣接する空間が形成され、
前記印刷回路基板の端部片が挿入される際に、コンタクト片が前記空間内に後退することを特徴とする請求項１ないし７のうちいずれか１項記載の端子ユニット。
【請求項９】
前記コンタクト部材は保持プレート上に保持され、
該保持プレートは、前記保持プレートの傾斜移動を可能にする、前記ハウジングの補償実装部内に保持されていることを特徴とする請求項１ないし８のうちいずれか１項記載の端子ユニット。
【請求項１０】
前記ハウジングはカバーを有し、
該カバーに、前記印刷回路基板用の受容開口が形成されると共に、該受容開口に、ソケットが形成された端子モジュールが挿入され、
前記印刷回路基板は前記カバーのスロットにより変位可能に保持され、
前記印刷回路基板は前記コンタクト部材の前記受容室に挿入可能であることを特徴とする請求項１ないし９のうちいずれか１項記載の端子ユニット。
【請求項１１】
前記カバーは、前記ハウジングに回転可能に実装されると共に、開位置から前記印刷回路基板が前記受容室と整合する閉位置に旋回可能であることを特徴とする請求項１０記載の端子ユニット。
【発明の詳細な説明】
【技術分野】
【０００１】
本発明は、リード線を印刷回路基板に接触させる端子ユニットに関する。
【背景技術】
【０００２】
リード線及び印刷回路基板間を電気的に接続するネットワークインタフェースを有するモジュールが特許文献１により公知になっている。このモジュールはリード線用端子部材を有する。圧接コンタクトはリード線用受容室を有する。さらに、端子部材はモジュール上に回転可能に実装される。圧接コンタクトがさらに設けられており、端子部材が旋回すると、端子部材内に保持されるリード線が圧接コンタクトに挿入される。圧接接続デバイスの形態であるコンタクトは、モジュール上に静止して実装される。圧接接続デバイスは、電気接続部によりプラグソケットの端子コンタクトに連結される。プラグソケットには、対応するコンタクトを有する印刷回路基板が挿入される。この構造において、リード線はコンタクトと接触する際に移動するが、コンタクトは移動しない。
【０００３】
リード線がコネクタに接続可能な電気コネクタが特許文献２により公知になっている。リード線は保持手段に挿入され、次に保持手段は保持モジュールに摺動される。保持モジュールは、押下される際に圧接接続デバイスに抗して保持手段を押圧する旋回レバーを有するので、リード線及びデバイス間が電気的に接触する。圧接接続デバイスは保持モジュール上に静止して実装される。これらデバイスはコネクタのコンタクトに電気的に接続される。
【特許文献１】国際特許出願公開第９８／３４４１６号明細書
【特許文献２】欧州特許第０７３５６１３号明細書
【発明の開示】
【発明が解決しようとする課題】
【０００４】
本発明は、リード線を印刷回路基板と接触させる改良された端子ユニットを提供することを目的とする。
【課題を解決するための手段】
【０００５】
上記目的は、請求項１に記載の特徴により達成される。
【０００６】
端子ユニットの一利点は、コンタクトを有するコンタクト部材は、ハウジング上に移動可能に実装され、リード線との接触時に接触位置に移動する。このようにして、リードは、端子ユニットのハウジング上にしっかりと実装することができ、リード線の移動は不要である。従って、リード線を簡単に実装できる。
【０００７】
本発明の別の有利な実施形態は、従属請求項に列挙されている。
【０００８】
好適な一実施形態において、コンタクト部材は、支軸の周囲に旋回するように実装される。これにより、コンタクト部材の簡単な作業が可能になる。旋回工程により、小さな力でコンタクト及びリード線を電気的に接触することができる。
【０００９】
好適な別の実施形態において、コンタクト部材は、両側に配置されてリード線を横方向に保持するブラケットを有する。このようにして、リード線は、保持手段に加えてコンタクト部材によって保持されるか、少なくとも案内される。
【００１０】
コンタクト部材の簡単な作業のために、コンタクト部材の頂上に駆動面が設けられている。この駆動面により、作業者が単に移動させるだけで大きな労力を要することなく、コンタクト部材を接触位置に移動することができる。リード線が絶縁物を有し、コンタクトが接触のためにリード線の絶縁物を切断しなければならない圧接接続デバイスの形態である場合、大きな力を要せずコンタクト部材を接触位置に移動することは特に有利である。
【００１１】
別の有利な実施形態において、２個のコンタクトがコンタクト部材に設けられ、リード線の方向に沿って互いにオフセットされて配置される。このようにして、リード線が接近して横に並んでいても、２個のコンタクト間に十分な間隙が得られる。
【００１２】
好適な一実施形態において、複数のコンタクト部材はハウジング内で横に並び、コンタクト部材間には区画壁が設けられる。区画壁は、電磁放射を遮蔽する材料製であることが好適である。リード線を流れる信号間の相互作用は、このようにして低減される。
【００１３】
好適な一実施形態において、保持手段は、リード線内で案内するための前開口と、コンタクト内で案内するための上開口を有する。さらに保持手段は、少なくとも上面が透明な材料製であることが好適である。リード線が実装される際に、透明材料により、リード線が適正位置に押圧されたかどうかをチェックすることが可能になる。
【００１４】
さらに別の好適な実施形態において、印刷回路基板用の受容領域はコンタクト部材の２個の着座面の形態である。このため、印刷回路基板はコンタクト部材内に直接保持される。受容領域にはコンタクトの端部片がさらに配置される。さらに、受容領域内にコンタクト部材の間隙が設けられ、基板の実装中に端部片が間隙内へ弾性的に通過できる。端部片はＵ形状端部の形態であることが好適であるので、コンタクトに大きな弾性を付与する。
【００１５】
好適な別の実施形態において、コンタクト部材はキャリアプレート上に実装され、キャリアプレートはハウジング内に浮動状態で実装される。ハウジングにおけるキャリアプレートの浮動実装（floating mounting）により、製造誤差を補償することができる。
【００１６】
さらに好適な実施形態において、印刷回路基板用のフィード開口を有する回転可能に実装されたカバーは端子ユニット上に設けられる。
【００１７】
回転可能な実装により、コンタクト部材への自由なアクセスが可能な組立位置へカバーを移動することができる。リード線が組み立てられてコンタクト部材がリード線と接触すると、カバーは、印刷回路基板がコンタクト部材の挿入領域内へ直接摺動可能な印刷回路基板用の挿入位置に移動する。
【発明を実施するための最良の形態】
【００１８】
以下、添付図面を参照して本発明をより詳細に説明する。
【００１９】
図１は、ハウジング２及びカバー３を有する端子ユニット１を示す。ハウジング２及びカバー３の間には、ケーブル内にフィードするための開口４がある。カバー３には、端子モジュール６が挿入された受容開口５が設けられる。２個のソケット７が端子モジュール６内に設けられ、右側のソケット７が例えばヒンジ付きカバー８で覆われる。端子モジュール６は、ボルト９によりカバー３内に固定される。ボルト９は、端子モジュール６を変位させ端子モジュール６を解除するのに使用可能な引き上げボルトの形態である。端子モジュール６は、ボルト９により仮係止位置から接触位置まで移動可能である。
【００２０】
図２は、端子モジュール６が受容開口５内に挿入される前の端子ユニット１を示す。カバー３は、モジュール６をカバー３上にねじ止めするためのねじ山４８を有する。
【００２１】
図３は、ソケットハウジング１０及び印刷回路基板１１を有する端子モジュール６を示す。印刷回路基板１１は、ソケット７のコンタクトに電気的に接続され印刷回路基板１１の底面に配置された導体１２を有する。ソケット７は、例えば電話ケーブルのコネクタ、又はネットワークケーブルのコネクタとして設計される。
【００２２】
図４は、カバー３が開いた状態の端子ユニット１を示す。図示の実施形態において、カバー３は、ヒンジ１３によって旋回可能にハウジング２上に支持されている。端子モジュール６はカバー３に予め実装されるが、受容開口５内に完全には挿入されていない。印刷回路基板１１は、カバー３の側壁１５のスロット１４内に横方向を案内される。保持プレート１６はハウジング２内に配置され、ボルト接続によりハウジング２の基部にねじ止めされる。複数のコンタクト部材１７が保持プレート１６上に配列される。開口４は、部分的にハウジング２と、部分的にカバー３と境を接する。ストレインリリーフ部１８及びコンタクト遮蔽手段１９は開口４内に配置される。ストレインリリーフ部１８の機能は、ケーブルの絶縁外被を締め付けることである。コンタクト遮蔽手段１９は導電性材料から生産され、その機能はケーブルのシールドと電気的に接触することである。ハウジング２及びカバー３は、電磁放射に対する遮蔽が達成されるよう導電性材料、特にダイキャスト材料から生産されるのが好適である。保持プレート１６は、絶縁材料、又は電磁放射に対して遮蔽する材料製であることが好適である。
【００２３】
図５は、ハウジング２に実装される前の状態の保持プレート１６を有する、開いた状態の端子ユニット１を示す。好適な一実施形態において、保持プレート１６は浮動実装によりハウジング２内に支持されるので、製造誤差が補償される。図示の例示において、浮動実装は、保持プレート１６の両側壁に形成された楔形凹部（補償実装部）２０と、ハウジング２の両側壁に形成された楔形片（補償実装部）２１の形態で示されている。印刷回路基板１１が組立状態においてコンタクト部材１７により形成される受容室３９内に摺動するので、浮動実装は利点がある。コンタクト部材１７と印刷回路基板１１との正確な整合は、印刷回路基板１１と良好に接触するために必要である。補償実装により、保持プレート１６を傾斜させ及び縦方向に沿って変位させることができる。傾斜軸は、保持プレート１６が載置される楔形片２１の着座面により決められる。
【００２４】
図６は、４個のコンタクト部材１７を有する保持プレート１６を示す。右側のコンタクト部材１７が開状態である。４個のコンタクト部材１７は横に並んでおり、本特定実施形態において各コンタクト部材１７は、保持プレート１６上に保持されるので、ヒンジピンにより旋回することができる。簡単な一実施形態において、保持プレート１６もハウジング２と一体にすることができる。区画壁２３は、コンタクト部材１７間、及び好適には保持プレート１６との間に配置され、電磁放射に対して遮蔽する材料製である。電気リード線２５を受容し保持するための保持収容部２４は、いずれにせよ区画壁２３間に配置される。図示の実施形態において、並列し分離された２個の溝２６が保持収容部２４に形成されている。保持収容部２４は絶縁材料製である。溝２６は前部で開いている。２個のコンタクト開口２７は保持収容部２４の上面に形成されている。２本の溝２６のコンタクト開口２７は、溝２６の縦方向に沿って互いにオフセットされている。保持収容部２４の少なくとも上面は透明材料製であるのが好適である。各溝２６は、前開口と反対側の停止面を有する。正しく組み立てるために、電気リード線２５は、導体溝２６の開口を通って停止面まで挿入される。
【００２５】
図示の実施形態において、コンタクト部材１７は２個のコンタクト２８，２９を有する。本実施形態において、２個のコンタクト２８，２９は、コンタクト部材１７の底面に直交して配置された圧接接続デバイスの形態の接触領域３０，３１を有する。コンタクト部材１７が旋回する際に第１及び第２接触領域３０，３１が関連するコンタクト開口２７に係止し、溝２６内に挿入された電気リード線２５と電気的に接続するように、接触領域３０，３１は配置される。コンタクト部材１７は、コンタクト２８，２９が挿入される絶縁材料で生産される。
【００２６】
コンタクト部材１７は、電気リード線２５の方向に沿って保持収容部２４を越えて縦方向に延びる。前端部において、コンタクト部材１７は、その縦側面に互いに対向して配列された２個のブラケット３２を有する。ブラケット３２の機能は、２本のリード線２５を横方向に保持し、好適にはリード線２５をまとめて押圧することである。ブラケット３２はその端部が十分に長いので、コンタクト部材１７が接触位置にある場合、保持プレート１６の関連する開口３３に係止する。ブラケット３２はコンタクト部材１７の端部から中心までの幅の直径を有するので、２個のブラケット３２によって上方へ傾斜する面が断面に形成されている。好適な一実施形態において、ブラケット３２は、開口３３の対応するラッチ凹部に係止する、内部のラッチ片をそれぞれ有する。このようにして、コンタクト部材１７は接触位置で、すなわちラッチ状態で確実に保持される。
【００２７】
コンタクト部材１７は、上面に駆動面３４を、電気リード線２５に向かう前端に把持面３５を有する。コンタクト部材１７は、駆動面３４を用いて作業者により開位置から接触位置まで容易に押圧することができる。電気リード線２５を接触するために要する力は、比較的大きな駆動面３４を用いて容易に印加することができる。圧接接続デバイスが使用される場合、リード線２５の絶縁物は除去しなければならない。コンタクト部材１７は、工具又は指で駆動可能な把持面３５を用いて簡単な方法で接触位置から開くことができる。
【００２８】
コンタクト部材１７は、把持面３５とは反対側の端部に第１着座面３６及び第２着座面３７を有する。第１着座面３６はコンタクト部材１７の頂上に配置される。第２着座面３７はコンタクト部材のＵ形状端部片３８の内側に位置する。第１及び第２着座面３６，３７は受容室３９と境を接する。４個のコンタクト部材１７の第１及び第２着座面３６，３７は、互いに平行に配置されると共に、印刷回路基板１１の縁部を受容する受容室３９と境を接する。区画壁２３は、第１着座面３６の傾斜と合致するために受容室３９の領域で面取りされるのが好適であり、区画壁２３の面取り面４９は印刷回路基板１１用の別の着座面を形成する。
【００２９】
図７は、ばねコンタクトの形態の第２コンタクト２９を有するコンタクト部材１７の斜視図である。２個のブラケット３２間で上方へ傾斜する面５０も図７に明瞭に認められる。傾斜面５０は、ブラケット３２間に形成され、リード線２５の締め付け保持を担当するのが好適である。コンタクト部材１７は、後部にＳ形状を有し、空間４１を形成する受容室３９の下で下方に曲げられている。コンタクト部材１７は第２ヒンジピン４０を有し、このピン４０の周囲に回転可能に保持プレート１６と共に支持される。印刷回路基板１１が挿入される際に第２コンタクト２９のＵ形状コンタクト片４２が弾性的に通過可能な空間４１は、受容室３９の下に形成される。
【００３０】
図８は、ばねコンタクト４３の形態である第１及び第２コンタクト２８，２９の一実施形態の斜視図である。前端部において、ばねコンタクト４３は、電気リード線２５と電気的に接触するための圧接接続デバイス４４を有する。後端部において、ばねコンタクト４３はＵ形状コンタクト片４２の形態であり、第２端部片４５がコンタクト部材１７の着座面４６の下で係合する。これによりコンタクト片４２に予荷重が与えられる。コンタクト片４２は、印刷回路基板１１のコンタクト部材１７と電気的に接触するために設けられた上方へ湾曲する接触面４７を有する。コンタクト片４２のＵ形状はばねコンタクト４３が小型でありながら高い弾性を付与するので、接触面４７及び印刷回路基板１１の導体１２間に確実な電気接触が得られる。
【００３１】
図９は、端子モジュール６が図１０に示された仮実装状態である端子ユニット１の一部を示す。この位置において、第１及び第２着座面３６，３７と境を接する受容室３９は、印刷回路基板１１と平行に配置される。端子モジュール６が開口４内により深く押圧されると、印刷回路基板１１の端部片２２は受容室３９内に摺動し、コンタクト部材１７のコンタクト２８，２９及び印刷回路基板１１の導体１２が電気的に接触する。導体１２は印刷回路基板１１の底面に配置される。印刷回路基板１１はコンタクト２８，２９のばね張力により第２着座面３７に抗して押圧される。
【図面の簡単な説明】
【００３２】
【図１】本発明の端子ユニットの斜視図である。
【図２】端子モジュールを除いた端子ユニットの斜視図である。
【図３】端子モジュールを示す拡大斜視図である。
【図４】カバーが開いた状態の端子ユニットを示す斜視図である。
【図５】ハウジングに実装される前の状態の保持プレートを有する、開いた状態の端子ユニットを示す斜視図である。
【図６】１個のコンタクト部材が開いた状態のキャリアプレートの斜視図である。
【図７】第２コンタクトを有するコンタクト部材の斜視図である。
【図８】ばねコンタクトの形態である２コンタクトの斜視図である。
【図９】印刷回路基板が挿入された端子ユニットの一部を示す斜視図である。
【図１０】端子モジュールが仮組立状態の端子ユニットを示す斜視図である。
【図１１】ケーブル付きの端子モジュールの斜視図である。
【符号の説明】
【００３３】
１    端子ユニット
２    ハウジング
３    カバー
５    受容開口
７    ソケット
１１  印刷回路基板
１２  導体
１４  スロット
１６  保持プレート
１７  コンタクト部材
２０  楔形凹部（補償実装部）
２１  楔形片（補償実装部）
２２  端部片
２３  区画壁
２４  保持収容部
２５  電気リード線
２７  コンタクト開口
２８，２９  コンタクト
３０，３１  接触領域
３２  ブラケット
３４  駆動面
３６，３７  着座面
３８  端部片
３９  受容室
４０  ヒンジピン
４１  空間
４２  コンタクト片
【図１】
0004614270.tif 000002
【図２】
0004614270.tif 000003
【図３】
0004614270.tif 000004
【図４】
0004614270.tif 000005
【図５】
0004614270.tif 000006
【図６】
0004614270.tif 000007
【図７】
0004614270.tif 000008
【図８】
0004614270.tif 000009
【図９】
0004614270.tif 000010
【図１０】
0004614270.tif 000011
【図１１】
0004614270.tif 000012